(57)【要約】【課題】誘導加熱処理後の旧塗膜の焼却屑や剥離剤の塗布により軟化し粘土状になった旧塗膜屑を金属表面との摩擦音を殆ど発生することなく剥離除去可能なカップ型ワイヤーブラシを提供する。【解決手段】中央に工具の回転スピンドルを装着する装着部１０を設けた上側カシメプレート６と下側カシメプレート７との間にワイヤー毛よりなる毛束５を配設している。毛束５は上側カシメプレート６の下端縁と下側カシメプレート７の下端縁との間から放射状に毛先を下方に向けて突出している。所望の毛束５と所望の毛束５の間には、ダイヤモンドヤスリ８を配設している。ダイヤモンドヤスリ８と毛束５は、内外方向幅と下端位置は略同じに設定されている。【選択図】図３
2019072446.tif 000002
【特許請求の範囲】
【請求項１】
回転スピンドルを装着するための装着部を天井面中央部に設けたカップ形の上側カシメプレートとカップ形の下側カシメプレートとの間に、ワイヤー毛よりなる毛束を周方向に沿って配設し、
前記上側カシメプレートの下端縁と前記下側カシメプレートの下端縁との間から、前記毛束を放射状の下向きに突出させてなるカップ型ワイヤーブラシにおいて、
前記上側カシメプレートと前記下側カシメプレートとの間には、毛束と毛束との間にダイヤモンドヤスリを配設し、
該ダイヤモンドヤスリの高さ方向下端位置は、前記毛束の高さ方向下端位置と略同一位置であって、内外方向幅は前記毛束の内外方向幅と略同一であることを特徴とするカップ型ワイヤーブラシ。
【発明の詳細な説明】
【技術分野】
【０００１】  本発明は電動工具或はエアー式グラインダー等の回転スピンドルに装着して回転させ、平坦な金属表面に付着する前処理後の焼却塗膜屑或は軟化塗膜屑を物理的作用で除去するためのカップ型ワイヤーブラシに関する。
【背景技術】
【０００２】  橋梁等の鋼構造物表面に被着された塗装塗膜には、経時劣化としてヒビ割れや金属表面からの剥離等が発生する。補修塗装の際には、予め旧塗膜層を金属表面から除去して下地処理を施すことが行われている。
旧塗膜層を平坦な金属表面から剥離除去するには、予め旧塗膜を焼却或は軟化等の前処理を行った後に、この前処理により生じた塗膜屑等を物理的作用で除去する後処理を行うことが一般的である。前処理には、塗膜が被着された金属を自己発熱させ、その熱で表面に被着された旧塗膜を焼却する高周波誘導加熱式の前処理方法や、薬剤を旧塗膜に塗着し旧塗膜を粘土状に軟化する薬剤塗布による前処理方法がある。
後処理には、カップ型回転砥石（特許文献１〜３参照）を回転させ、カップ型回転砥石底面に設けた研削チップで焼却塗膜屑等を剥離する方法や、軟化等した旧塗膜を研磨材等の吹き付け力で剥離除去するブラスト方法や、スクレーバーで剥ぎ取る方法、或は、表面に砥粒を設けたベルトコンベアで金属表面を摩擦し砥粒の摩擦力で剥ぎ取る方法が提案されている（例えば、特許文献４〜８参照）。
また、溶接部に被着された旧塗膜の除去については、溶接部をジェットタガネで叩き、その衝撃で旧塗膜を割り落としていた。
後処理のうち上記特許文献１〜３のカップ型回転砥石を高速回転させカップ型回転砥石の底面に設けた研削チップで焼却塗膜屑を剥ぎ取る方法であると、研削チップが金属表面を擦る摩擦音が発生し、騒音基準が厳格な住宅商業施設密集地等の都市部では近隣住民等から苦情が出るおそれがあり、現実的には都市部での使用は困難であるという問題点があった。ブラスト方法や、スクレーバーで剥ぎ取る方法等であると、作業性が悪いという問題点があった。
接部をジェットタガネで叩き衝撃で旧塗膜を割る落とす方法に関しては、タガネの振動で作業者が健康を害するおそれがあり、また、平坦部と溶接部とで使用する工具を使い分ける必要性があり面倒であるという問題点があった。
尚、被研磨面のバリや錆を除去する道具としてカップブラシが存在する（例えば、特許文献又は非特許文献１参照）。カップブラシの毛にはダイヤモンド砥粒を付着させたものが提案されている（例えば、特許文献１０参照）が、後処理に使用するとダイヤモンド砥が短時間で毛から落下し、耐久性がないという問題点があった。
【先行技術文献】
【特許文献】
【０００３】
【特許文献１】意匠登録第１４１６７５８号の意匠公報
【特許文献２】意匠登録第１４２５１４３号の意匠公報
【特許文献３】意匠登録第１４２５５３３号の意匠公報
【特許文献４】特開平９−１３１６６６号公報
【特許文献５】特開２００２−２８８４５号公報
【特許文献６】特開２００１−２３２２７１号公報
【特許文献７】特開２００３−３６９６５号公報
【特許文献８】特開２０１３−８１９０２号公報
【特許文献９】特開平１０−２６４０４５号公報
【特許文献１０】特開２０００−１５２８２３号公報
【非特許文献】
【０００４】
【非特許文献１】ヒネリカップブラシ  モノタロウ  カップブラシのインターネット上のホームページ
【発明の開示】
【発明が解決しようとする課題】
【０００５】  本願発明が解決しようとする課題は、グラインダー等の電動工具の回転スピンドルに取り付けられた回転砥石を用いて、平坦な金属表面に付着する前処理後の焼却塗膜屑或は軟化塗膜屑を剥離除去作業する際に騒音が発生すること、及び平坦な金属板と平坦な金属板との溶着部の凹凸表面に付着する前処理後の旧塗膜屑を除去するためには回転砥石を使用することができずタガネで叩き割って落とすため２種類の工具が必要であり、作業者の肉体的負担も大である点である。
【課題を解決するための手段】
【０００６】  上記目的を達成するために本願発明のうち請求項１に記載の発明は、回転スピンドルを装着するための装着部を天井面中央部に設けたカップ形の上側カシメプレートとカップ形の下側カシメプレートとの間に、ワイヤー毛よりなる毛束を周方向に沿って配設し、上側カシメプレートの下端縁と下側カシメプレートの下端縁の間から、前記毛束を放射状の下向きに突出させてなるカップ型ワイヤーブラシにおいて、上側カシメプレートと下側カシメプレートとの間には、毛束と毛束との間にダイヤモンドヤスリを配設し、該ダイヤモンドヤスリの高さ方向下端位置は、前記毛束の高さ方向下端位置と略同一位置であって、内外方向幅は前記毛束の内外方向幅と略同一であることを特徴とする。
【発明の効果】
【０００７】  本願発明は、毛束の毛先と、毛束間に配設されたダイヤモンドヤスリとで旧塗膜屑を剥ぎ取るので、前処理後の旧塗膜屑を回転砥石の研削チップのみで剥ぎ取って除去する方法と比較して、発生音が著しく低減し、周辺住民等に騒音被害が発生せず、人口密集地の都市部での使用に好適であり、また、金属板と金属板との溶接部の凹凸のうち凹部にも毛先が入り込み、溶接部の凹凸に付着する焼却塗膜屑や軟化塗膜屑を完全に除去可能であるという効果がある。
本願発明は鋼板表面に硬質性金属板の表面にダイヤモンド粒を設けたダイヤモンドヤスリを設け、毛先に加えてダイヤモンドヤスリの下端部でも旧塗膜屑を剥離するので、毛束先端にダイヤモンドを付着したカップ型ワイヤーブラシと比較して著しく耐久性が向上するという効果がある。
【図面の簡単な説明】
【０００８】
【図１】カップ型ワイヤーブラシの正面図である。（実施例１）
【図２】カップ型ワイヤーブラシの底面図である。（実施例１）
【図３】図１のＡ−Ａ線断面図である。（実施例１）
【図４】使用状態を示すカバー本体の一部を切欠した正面図である。（実施例１）
【発明を実施するための形態】
【０００９】  毛束間にダイヤモンドヤスリを配設することで、毛束の毛先とダイヤモンドヤスリの下端部の両方で金属表面に付着する前処理後の旧塗膜屑を音を発することなく静かに剥離除去することを実現した。
【実施例１】
【００１０】  図１〜図４に示される実施例１について説明する。図１はカップ型ワイヤーブラシの正面図、図２はカップ型ワイヤーブラシの底面図、図３は図１のＡ−Ａ線断面図、図４は使用状態を示すカバー本体の一部を切欠した正面図である。図３において、１は円環状の金属製コアであり、縦断面コ字状で、外方に向けて開口させた凹嵌部２を設けている。金属製コア１の凹嵌部２には金属製リング３が嵌め込まれている。金属製リング３には、束状ワイヤー毛の長さ方向中央部が折り曲げられて引っ掛けられている。つまり、所望本数よりなる束状ワイヤー毛４の長さを２分した位置でワイヤー毛４の両端毛先を同一外方向に向けて２つ折りにし、この折り返し部が金属製リング３に引っ掛けられている。毛先は凹嵌部２の開口より外方に引っ張り出され、しめ縄状に撚られて１つの毛束５に形成されている。ワイヤー毛４は鋼線以外の真鍮線やステンレス線等であってもよい。毛束５はしめ縄状に撚られていないものも本願発明に含まれる。【００１１】  金属製コア１は上下方向からプレス加工され、多数本のワイヤー毛４は金属製リング３を介してカシメ固定されている。さらに、金属製コア１の上下面には上側カシメプレート６と下側カシメプレート７によりカシメ加工されている。上側カシメプレート６と下側カシメプレート７は下方を開放したカップ状である。上側カシメプレート６は下側カシメプレート７と比較して、天井面の直径及び下端開口径が大に形成され、上側カシメプレート６の内側に下側カシメプレート７を配設し、上側カシメプレート６の内周面と下側カシメプレート７の外周面との間に形成される隙間に、毛束５及び板状のダイヤモンドヤスリ８を配設されている。上側カシメプレート６と下側カシメプレート７の天井面中央には、電動工具或はエアー式グラインダー等の回転スピンドルを装着するための螺孔９を有する装着部１０が設けられている。【００１２】  上側カシメプレート６と下側カシメプレート７との間に所定毛束５毎にダイヤモンドヤスリ８が配設されている。ダイヤモンドヤスリ８は、厚みが２．０〜３．５ｍｍ程度で、内外方向の幅が毛束５の直径と略同一で、上下方向に長い硬質性金属板、例えば鋼板を用い、鋼板の表面にダイヤモンド粒１１を付着してなる。ダイヤモンド粒１１の粒度は問わないが、直径が０．２８ｍｍ程度の粒度＃６０であることが好適である。【００１３】  次に作用について説明する。図４に示すように、実施例１のカップ型ワイヤーブラシは、外側をカバー本体１２で覆って使用するものである。カバー本体１２は、下方を開放したカップ１３の下端縁に粉塵飛散防止用毛１４が設けられ、カップ１３の中心にはグラインダー等の工具１５を取り付ける手段を具備している。工具１５にカバー本体１２を取り付け、工具１５の回転スピンドルは装着部１０の螺孔９に螺着する。回転スピンドルを回転すると、カップ型ワイヤーブラシも回転スピンドルと同期回転する。金属表面１６に付着する誘導加熱処理後の旧塗膜の焼却屑や、剥離剤の塗布により軟化し粘土状になった旧塗膜屑を、周回する毛束５の毛先及びダイヤモンドヤスリ８の下端で物理的に剥離するものである。ダイヤモンドヤスリ８の表面は微細なダイヤモンド粒１１で被���されているので、ダイヤモンドヤスリ８はダイヤモンド粒１１と金属表面は点接触するため摩擦音が殆ど発生しない。又、平坦な金属板は互いに溶接による連結されているが、この溶接部には凹凸ができる。この凹凸の凹部には毛束５の毛先が入り込み、誘導加熱処理後の旧塗膜の焼却屑や剥離剤の塗布により軟化し粘土状になった旧塗膜屑を掃き散らして除去する。金属表面１６と毛束５の毛先との摩擦音は小さい。
実施例１のカップ型ワイヤーブラシは、ダイヤモンド粒１１と毛束５の毛先が金属表面１６と接触するので、大きな摩擦音を殆ど発することなく金属表面１６から旧塗膜屑を静かに剥離除去可能であるという効果がある。
【符号の説明】
【００１４】４  ワイヤー毛
５  毛束
６  上側カシメプレート
７  下側カシメプレート
８  ダイヤモンドヤスリ
１０  装着部
【図１】
2019072446.tif 000003
【図２】
2019072446.tif 000004
【図３】
2019072446.tif 000005
【図４】
2019072446.tif 000006